(57)【要約】      （修正有）【課題】大型の建屋に、最適な吸水性多孔質パットを利用した気化冷房装置の提供と、この吸水性多孔質パットを利用した気化冷房装置の構造の簡便化を図ることで、取付けの容易化、資材の節約化等を達成することができる気化冷房装置を取付ける装置を提供する。【解決手段】建屋の躯体に設けた上下部支持鋼材６，７と、上部支持鋼材に配備した給水管１０と、下部支持鋼材に配備した吸水性多孔質パット設置金具１２とで構成し、建屋の気化冷房装置の枠組内に、吸水性多孔質パットをワンタッチで取付ける。吸水性多孔質パットに、上下框２１ａ，２１ｂと、左右框２１ｃ、２１ｄを設けるとともに、上框に、給水管に接続する給水口２５と、上部支持鋼材に掛止めるフック２６を配備し、かつ下框に、樋２２と排水管２３を配備することを特徴とする。【選択図】図２
0003187747.tif 000002
【実用新案登録請求の範囲】
【請求項１】
建屋の躯体に併設した上下部支持鋼材と、この上部支持鋼材に配備した給水管と、当該下部支持鋼材に配備した吸水性多孔質パット設置金具と、で構成した、建屋の気化冷房装置の枠組内に、前記吸水性多孔質パットをワンタッチで取付けるために、
この吸水性多孔質パットに、上下框と、左右框を設け、この上框に、前記給水管に接続する給水口と、前記上部支持鋼材に掛止めるフックとを配備するとともに、前記下框に、樋と排水管とを配備する構成とした建屋に吸水性多孔質パットを備えた気化冷房装置を取付ける装置。
【請求項２】
請求項１に記載の建屋に吸水性多孔質パットを備えた気化冷房装置を取付ける装置であって、
前記上部支持鋼材をＣ形鋼材とし、前記フックを、鍵形として、このフックを、前記上部支持鋼材に、ワンタッチで取付け可能とする構成とした建屋に吸水性多孔質パットを備えた気化冷房装置を取付ける装置。
【請求項３】
請求項１に記載の建屋に吸水性多孔質パットを備えた気化冷房装置を取付ける装置であって、
前記下部支持鋼材に取付けた吸水性多孔質パット設置金具に、受け部と折曲片を設ける構造とし、この吸水性多孔質パット設置金具に、前記吸水性多孔質パットの下框を、ワンタッチで取付け可能とする構成とした建屋に吸水性多孔質パットを備えた気化冷房装置を取付ける装置。
【請求項４】
請求項１に記載の建屋に吸水性多孔質パットを備えた気化冷房装置を取付ける装置であって、
前記吸水性多孔質パットを囲繞する、少なくとも、下框の短手方向の幅を、この吸水性多孔質パットの肉厚より広幅構造とし、この広幅構造を利用して、前記樋と排水管を配備する構成とした建屋に吸水性多孔質パットを備えた気化冷房装置を取付ける装置。
【請求項５】
請求項１に記載の建屋に吸水性多孔質パットを備えた気化冷房装置を取付ける装置であって、
前記吸水性多孔質パットの外側と、前記建屋の躯体との間に隙間を形成するとともに、この隙間の外側に防虫ネットと、この防虫ネットに続いて建屋のビニールフィルムとを設ける構成とした建屋に吸水性多孔質パットを備えた気化冷房装置を取付ける装置。
【請求項６】
請求項５に記載の建屋に吸水性多孔質パットを備えた気化冷房装置を取付ける装置であって、
前記建屋が、ビニールハウスである建屋に吸水性多孔質パットを備えた気化冷房装置を取付ける装置。
【請求項７】
請求項１に記載の建屋に吸水性多孔質パットを備えた気化冷房装置を取付ける装置であって、
前記建屋に送風扇を設置し、湿潤空気を、建屋内に、満遍なく送風可能とする建屋に吸水性多孔質パットを備えた気化冷房装置を取付ける装置。
【考案の詳細な説明】
【技術分野】
【０００１】
本考案は、建屋に吸水性多孔質パットを備えた気化冷房装置を取付ける装置に関する。
【背景技術】
【０００２】
本出願人は、この種の「建屋に吸水性多孔質パットを備えた気化冷房装置を取付ける装置」に関連する出願として、特開２０１２−１４７６９６号公報に記載の「給排水と、防虫ネットとを備えた冷却用パット装置」（文献１）と、実用新案登録第３１８０２７９号公報に記載の「建屋の気化冷房装置に備える流体循環装置」（文献２）とを提案する。
【０００３】
この（文献１）は、空気透過パット（吸水性多孔質パット）と防虫ネットを組合せた吸水性多孔質パットの発明であり、かつこの吸水性多孔質パットの下側に設置される排水樋を、傾斜して設置することを特徴とする。この排水樋を、フラットとすれば、構造の簡便化と、取付けの容易化、資材の節約化等の面で有益と考えられる。
【０００４】
また、（文献２）は、吸水性多孔質パットを利用した気化冷房装置において、水の再利用を意図する考案であり、有益である。この有益をさらに大きくするためには、例えば、取付けの容易化、資材の節約化等の面での取組みも、必要と考えられる。
【０００５】
【特許文献１】特開２０１２−１４７６９６号公報
【特許文献２】実用新案登録第３１８０２７９号公報
【考案の概要】
【考案が解決しようとする課題】
【０００６】
上記に鑑み、［イ］  本考案は、この（文献１）と、（文献２）とを活用しつつ、大型の建屋に、最適な吸水性多孔質パットを利用した気化冷房装置の提供と、この吸水性多孔質パットを利用した気化冷房装置の構造の簡便化を図ることで、取付けの容易化、資材の節約化等を達成する。
【０００７】
また、［ロ］  本考案は、この気化冷房装置に吸水性多孔質パットと、建屋に配備した、送風扇との併設により、湿潤した風を、建屋の隅々、及び／又は、建屋の棟方向の遠くに送り、例えば、建屋の温度差の解消と、併せて作物の生育促進、均質化、又は品質向上等を達成する。
【課題を解決するための手段】
【０００８】
そこで、少なくとも、前記［イ］と［ロ］を達成するために、請求項１〜請求項７を提案する。
【考案の効果】
【０００９】
請求項１の考案は、建屋の躯体に併設した上下部支持鋼材と、上部支持鋼材に配備した給水管と、下部支持鋼材に配備した吸水性多孔質パット設置金具と、で構成した、建屋の気化冷房装置の枠組内に、吸水性多孔質パットをワンタッチで取付けるために、
吸水性多孔質パットに、上下框と、左右框を設け、上框に、給水管に接続する給水口と、上部支持鋼材に掛止めるフックとを配備するとともに、下框に、樋と排水管とを配備する構成とした建屋に吸水性多孔質パットを備えた気化冷房装置を取付ける装置である。
【００１０】
従って、請求項１は、（文献１）と、（文献２）とを活用しつつ、大型の建屋に、最適な吸水性多孔質パットを利用した気化冷房装置の提供と、この吸水性多孔質パットを利用した気化冷房装置の構造の簡便化を図ることで、取付けの容易化、資材の節約化等を達成できる。また、請求項１は、吸水性多孔質パットに上下框と、左右框を設け、上框に、給水管に接続する給水口と、上部支持鋼材に掛止めるフックを配備するとともに、下框に、樋と排水管を配備する構成としたので、躯体に、ワンタッチで取付け、又は取外しできる特徴がある。
【００１１】
請求項２の考案は、請求項１に記載の建屋に吸水性多孔質パットを備えた気化冷房装置を取付ける装置であって、
上部支持鋼材をＣ形鋼材とし、フックを、鍵形として、フックを、上部支持鋼材に、ワンタッチで取付け可能とする構成とした建屋に吸水性多孔質パットを備えた気化冷房装置を取付ける装置である。
【００１２】
従って、請求項２は、請求項１の目的を達成できることと、この目的を達成するために、建屋の躯体に、ワンタッチで取付け、又は取外しできる吸水性多孔質パットの框の構造を提案できる。
【００１３】
請求項３の考案では、請求項１に記載の建屋に吸水性多孔質パットを備えた気化冷房装置を取付ける装置であって、
下部支持鋼材に取付けた吸水性多孔質パット設置金具に、受け部と折曲片を設ける構造とし、吸水性多孔質パット設置金具に、吸水性多孔質パットの下框を、ワンタッチで取付け可能とする構成とした建屋に吸水性多孔質パットを備えた気化冷房装置を取付ける装置である。
【００１４】
従って、請求項３は、請求項１の目的を達成できることと、この目的を達成するために、建屋の躯体に、ワンタッチで取付け、又は取外しできる吸水性多孔質パットの下框の構造を提案できる。
【００１５】
請求項４の考案は、請求項１に記載の建屋に吸水性多孔質パットを備えた気化冷房装置を取付ける装置であって、
吸水性多孔質パットを囲繞する、少なくとも、下框の短手方向の幅を、吸水性多孔質パットの肉厚より広幅構造とし、広幅構造を利用して、樋と排水管を配備する構成とした建屋に吸水性多孔質パットを備えた気化冷房装置を取付ける装置である。
【００１６】
従って、請求項４は、請求項１の目的を達成できることと、この目的を達成するために、吸水性多孔質パットを囲繞する框の構造を提案できる。
【００１７】
請求項５の考案は、請求項１に記載の建屋に吸水性多孔質パットを備えた気化冷房装置を取付ける装置であって、
吸水性多孔質パットの外側と、建屋の躯体との間に隙間を形成するとともに、隙間の外側に防虫ネットと、防虫ネットに続いて建屋のビニールフィルムとを設ける構成とした建屋に吸水性多孔質パットを備えた気化冷房装置を取付ける装置である。
【００１８】
従って、請求項５は、請求項１の目的を達成できることと、この目的を達成するために、吸水性多孔質パットと、防虫ネット、並びにビニールフィルムとの配置構造を提供できる。
【００１９】
請求項６の考案は、請求項５に記載の建屋に吸水性多孔質パットを備えた気化冷房装置を取付ける装置であって、
建屋が、ビニールハウスである建屋に吸水性多孔質パットを備えた気化冷房装置を取付ける装置である。
【００２０】
従って、請求項６は、請求項５の目的を達成するために、最適な、建屋の一例を、例示する。
【００２１】
請求項７の考案は、請求項１に記載の建屋に吸水性多孔質パットを備えた気化冷房装置を取付ける装置であって、
建屋に送風扇を設置し、湿潤空気を、建屋内に、満遍なく送風可能とする建屋に吸水性多孔質パットを備えた気化冷房装置を取付ける装置である。
【００２２】
従って、請求項７は、請求項１の目的を達成できる。また請求項７は、この気化冷房装置に吸水性多孔質パットと、建屋に配備した、送風扇との併設により、湿潤した風を、建屋の隅々、及び／又は、建屋の棟方向の遠くに送り、例えば、建屋の温度差の解消と、併せて作物の生育促進、均質化、又は品質向上等を達成できる。
【図面の簡単な説明】
【００２３】
【図１】ハウスに気化冷房装置と、送風機を設置した一例を示した一部欠截の要部の模式図。
【図２】ハウスに設置する気化冷房装置の分解斜視図
【図３】ハウスに設置する気化冷房装置の要部の断面図
【考案を実施するための形態】
【００２４】
図中１はビニールハウス（ハウスは、畜舎、工場等の建屋の一例であり、本考案では、原則として、ハウス１とする）で、このハウス１の一例を説明すると、多数本の柱鋼材２、及び柱鋼材２間に設けた多数本の梁鋼材３で枠組み形成してなる躯体１００と、この躯体１００に設けた防虫ネット４と、ビニールフィルム５（ガラス、又は他のフィルム等の別の材料もある。以下、フィルム５とする）で構成する。
【００２５】
そして、このハウス１（躯体１００）の一方側の側面１ａには、吸水性多孔質パット「空気透過パット」（後述する）を立設支持するＣ形鋼材を順次繋いだ上下部支持鋼材６、７が設けられる。この上部支持鋼材６の長手方向Ｘには、一本の給水管１０が配備されており、この給水管１０の適所（一枚の吸水性多孔質パット２０に対応した箇所）に、多数本の給水ホース１１が連繋されている。また、下部支持鋼材７の長手方向Ｘには、それぞれの吸水性多孔質パット２０を支持する、吸水性多孔質パット設置金具１２を、順次、設ける。この一例では、一枚の吸水性多孔質パット２０に対して、少なくとも、二枚設ける構造である。この設置金具１２は、係止孔を備えた取付片１２００と、受け部１２０１、並びに立ち上り折曲片１２０２とで構成し、この取付片１２００を、下部支持鋼材７に螺子止め係止して、受け部１２０１を水平に保持する。従って、この吸水性多孔質パット２０を、受け部１２０１に載架し、かつ、吸水性多孔質パット２０の外れ防止を、折曲片１２０２で図る。なお、設置金具１２の受け部１２０１は、後述する下框等より広幅構造とし、この受け部１２０１に、吸水性多孔質パット２０（吸水性多孔質パットユニット）を、ワンタッチで、安定して設置可能とする。
【００２６】
吸水性多孔質パット２０は、例えば、セルローズ紙のシートを接着、かつ編成した構造で、鋭角と鈍角の異なる溝角を備えた波形形状、又は、耐水性のセルローズ繊維からなる複数枚の自己支持性波板を凸条部で重ね合わせた多隙体形状等でなる本体部と、この本体部に無数形成された空気透過隙間を備える。吸水性多孔質パット２０は、この吸水性多孔質パット２０を、Ｃ形鋼材でなる上下框２１ａ、２１ｂと左右框２１ｃ、２１ｄで囲繞（枠組）する。この囲繞された吸水性多孔質パット２０（吸水性多孔質パットユニット）は、躯体１００に隙間Ａを持って設けられる。尚、上下框２１ａ、２１ｂと左右框２１ｃ、２１ｄの短手方向Ｙの幅２１ａａ、２１ｂｂと２１ｃｃ、２１ｄｄは、吸水性多孔質パット２０の肉厚２０ａより幅広に構成されている。この幅広構造を利用し、吸水性多孔質パット２０を、上下框２１ａ、２１ｂと左右框２１ｃ、２１ｄに内設し、吸水性多孔質パットユニットが形成される。また、当該幅広構造を利用し、下框２１ｂの内側で、かつ吸水性多孔質パット２０と、この下框２１ｂの内底との隙間であって、その長手方向Ｘに樋２２を設ける。また、この下框２１ｂの底面に、樋２２まで至る排水管２３を設ける。尚、上框２１ａには、給水口２５と、吊下げ用のフック２６を数個設ける。
【００２７】
そこで、上下框２１ａ、２１ｂと左右框２１ｃ、２１ｄで囲繞された吸水性多孔質パットユニットの設置方法の好ましい、一例を説明すると、先ず、躯体１００に設けた、上部支持鋼材６に、吸水性多孔質パットユニット（上框２１ａ）のフック２６を掛止する。これにより、吸水性多孔質パットユニットの上側とその全体は、躯体１００に、仮に支持される。続いて（同時に）、吸水性多孔質パットユニットの下側を、躯体１００に設けた、下部支持鋼材７に設けた受け部１２０１に載架することで、この吸水性多孔質パットユニットは、躯体１００に隙間Ａを持って、確実に支持される。従って、吸水性多孔質パット２０を利用した気化冷房装置の構造の簡便化が図れること、取付けの容易化、資材の節約化等が達成されること、等の実益がある。
【００２８】
この際に、吸水性多孔質パットユニットの上側の給水管１０と給水口２５を給水ホース１１で繋ぐ。また、吸水性多孔質パットユニットの下側は、樋２２の上か、略接触するように支持されるので、続いて、吸水性多孔質パットユニットの下側に排水管２３を連結する。この操作で、吸水性多孔質パットユニットが、躯体１００に整然と、かつ安定して支持される。尚、この隙間Ａを利用して、ハウス１の内気を取込み、吸水性多孔質パット２０内の水と接触することで、有効な冷却と、気化等に役立てる。
【００２９】
気化冷却に関して説明すると、給水管１０に送られた水（流体）は、給水ホース１１を経由し、給水口２５から、吸水性多孔質パット２０に到り、この吸水性多孔質パット２０が湿潤される。この湿潤状態の吸水性多孔質パット２０には、隙間Ａを介して導入されたハウス１の空気（内気）に湿り気を与える（暖かく乾いた空気を冷たく湿った空気に変換）とともに、この吸水性多孔質パット２０の表面より、ハウス１内に排出され、ハウス１内の内気との熱交換を介して、この内気を冷却し、ハウス１内を快適な状態に変換するとともに、脱臭効果も期待できる。この吸水性多孔質パット２０を流れた余剰水は、樋２２に導かれた後、排水管２３よりタンク等に戻される。
【００３０】
尚、ハウス１の他方側の側面（図示しない）には、換気扇（図示しない）が一基、又は複数基設けられている。
【００３１】
前述した各構造は、本考案の好ましい一例の説明である。従って、本考案は上述した各実施例に限定されるものではなく、考案の趣旨の範囲において構成の一部を変更する構造とか、同じ特徴と効果を達成できる構造、等は、本考案の範疇である。
【符号の説明】
【００３２】
１            ハウス
１ａ          一方側の側面
１００        躯体
２            柱鋼材
３            梁鋼材
４            防虫ネット
５            ビニールフィルム
６            上部支持鋼材
７            下部支持鋼材
１０          給水管
１１          給水ホース
１２          設置金具
１２００      取付片
１２０１      受け部
１２０２      折曲片
２０          吸水性多孔質パット
２０ａ        肉厚
２１ａ        上框
２１ａａ      幅
２１ｂ        下框
２１ｂｂ      幅
２１ｃ        右框
２１ｃｃ      幅
２１ｄ        左框
２１ｄｄ      幅
２２          樋
２３          排水管
２５          給水口
２６          フック
Ｘ            長手方向
Ｙ            短手方向
Ａ            隙間
【図１】
0003187747.tif 000003
【図２】
0003187747.tif 000004
【図３】
0003187747.tif 000005